(57)【要約】      （修正有）【課題】コンクリート壁などを打設施工する際に使用する大組型枠の手が届きにくく施工が難しい中間部に用いられる型枠間隔保を提供する。【解決手段】型枠間隔保持具２５は、コンクリート壁を施工する一方の型枠２と他方の型枠３との間に位置される棒状のセパレーター７と、このセパレーター７の一端部に接続されると共に、上記一方の型枠２に形成された貫通孔２３を上記一方の型枠２の内側から塞ぐ一方のコーン部材８とを有する。さらに、上記一方の型枠２の外側から、上記一方の型枠２の貫通孔２３を貫通して上記一方のコーン部材８に接続される一方のフォームタイ（登録商標）１０と、上記他方の型枠３の外側から、上記他方の型枠３に形成された貫通孔２４を貫通して、上記セパレーター７の他端部に接続される他方のフォームタイ２６とを備える。【選択図】図１
0003174474.tif 000002
【実用新案登録請求の範囲】
【請求項１】
コンクリート壁を施工する一方の型枠と他方の型枠との間に位置される棒状のセパレーターと、
このセパレーターの一端部に接続されると共に、上記一方の型枠に形成された貫通孔を上記一方の型枠の内側から塞ぐ一方のコーン部材と、
上記一方の型枠の外側から、上記一方の型枠の貫通孔を貫通して上記一方のコーン部材に接続される一方のフォームタイ（登録商標）と、
上記他方の型枠の外側から、上記他方の型枠に形成された貫通孔を貫通して、上記セパレーターの他端部に接続される他方のフォームタイとよりなり、
上記一方のフォームタイは、棒状の一方のフォームタイバーと、この一方のフォームタイバーの遊端に接続される一方の型枠押さえ具とよりなり、
上記他方のフォームタイは、棒状本体部と、この棒状本体部の基部に設けられた基端部と、上記棒状本体部の遊端に接続される他方の型枠押さえ具とよりなり、
上記基端部は、上記セパレーターの他端部に接続されると共に、上記一方のコーン部材を貫通する大きさに形成された上記他方の型枠の貫通孔を、上記他方の型枠の外側から塞ぐことを特徴とする型枠間隔保持具。
【請求項２】
上記他方のフォームタイの棒状本体部と基端部とが着脱自在に設けられ、上記棒状本体部が棒状の他方のフォームタイバーよりなると共に、上記基端部が他方のコーン部材よりなることを特徴とする請求項１記載の型枠間隔保持具。
【請求項３】
コンクリート壁を施工する一方の型枠と他方の型枠との間に位置される棒状のセパレーターの他端部に、上記他方の型枠の外側から、上記他方の型枠に形成された貫通孔を貫通して接続される他方のフォームタイよりなり、
上記他方のフォームタイは、棒状本体部と、この棒状本体部の基部に設けられた基端部と、上記棒状本体部の遊端に接続される他方の型枠押さえ具とよりなり、
上記基端部は、上記セパレーターの他端部に接続されると共に、上記セパレーターの一端部に接続される一方のコーン部材を貫通する大きさ形成された上記他方の型枠の貫通孔を、上記他方の型枠の外側から塞ぐことを特徴とする型枠間隔保持具用のフォームタイ。
【請求項４】
上記他方のフォームタイの棒状本体部と基端部とが着脱自在に接続され、上記棒状本体部が棒状の他方のフォームタイバーよりなると共に、上記基端部が他方のコーン部材よりなることを特徴とする請求項３記載の型枠間隔保持具用のフォームタイ。
【考案の詳細な説明】
【技術分野】
【０００１】
本考案は型枠間隔保持具及びそのフォームタイ、特に、コンクリート壁などを打設施工する際に使用する大組型枠の手が届きにくく施工が難しい中間部に用いられる型枠間隔保持具及びそのフォームタイに関するものである。
【背景技術】
【０００２】
ケーソンの隔壁などのコンクリート壁を打設施工する場合、大組の型枠が用いられ、この大組型枠の一方の型枠及び他方の型枠は、型枠間隔保持具により所望の間隔を開けて保持される。
【０００３】
図６は、上記大組型枠の上部、中間部、下部にそれぞれ従来の型枠間隔保持具を取り付けた側面図を示し、１は、既設のコンクリート壁、２、３は上記既設コンクリート壁１上に更にコンクリート壁を打設施工するために設けられた一方の型枠及び他方の型枠、４は、腹起こし材、５は、上記一方の型枠２及び他方の型枠３を所望の間隔を開けて保持するための型枠間隔保持具、６は、鉄筋である。
【０００４】
また、図７は、上記従来の型枠間隔保持具５の説明用分解斜視図を示す。この従来の型枠間隔保持具５は、上記一方の型枠２と他方の型枠３との間に位置される棒状のセパレーター７と、このセパレーター７の両端部にそれぞれ接続される、例えばＰコンや鉄コンなどの円錐台形状の一方及び他方のコーン部材８、９と、このコーン部材８、９に、上記一方及び他方の型枠２、３の外側から、この一方及び他方の型枠２、３に形成された貫通孔２３、２４を貫通して、それぞれ接続される一方及び他方のフォームタイ１０、１１とにより構成される。
【０００５】
なお、上記セパレーター７の両端部にはそれぞれネジ部１２、１２が形成され、また、上記円錐台形状のコーン部材８、９の大径側端面１３及び小径側端面１４にはそれぞれネジ孔部１５、１６が形成される。そして、上記各コーン部材８、９の小径側端面１４、１４に形成されたネジ孔部１６、１６に、上記セパレーター７のネジ部１２、１２がぞれぞれ螺合されることにより、上記コーン部材８、９が上記セパレーター７に接続されて固定されるようになる。
【０００６】
また、上記コーン部材８、９の大径側端面１３が、それぞれ上記型枠２、３の内側面に当接することにより、上記一方及び他方の型枠２、３の貫通孔２３、２４が塞がれ、また、上記一方の型枠２と他方の型枠３との間隔が所望値に保たれるようになる。
【０００７】
また、上記一方及び他方のフォームタイ１０、１１は、それぞれ基端部１７及び遊端部１８にそれぞれネジ部が形成された棒状のフォームタイバー１９と、上記遊端部１８のネジ部に接続される型枠押さえ具２０とにより構成される。そして、この型枠押さえ具２０は、上記遊端部１８のネジ部を貫通する孔を有する型枠押さえ金具２１と、上記遊端部１８のネジ部に螺合されるナット２２とによりなる。
【０００８】
そして、上記フォームタイバー１９、１９の基端部１７、１７のネジ部が、それぞれ上記一方及び他方の型枠２、３の外側から、上記型枠２、３の一方及び他方の貫通孔２３、２４を貫通して、上記コーン部材８、９の大径側端面１３、１３のネジ孔１５、１５に螺号されて、上記フォームタイバイー１９、１９が上記コーン部材８、９にそれぞれ接続されて固定されるようになる。
【０００９】
また、上記フォームタイバー１９、１９の遊端部１８、１８のネジ部に、それぞれ上記腹起こし材４及び上記型枠押さえ金具２１を介して上記ナット２２を螺合して締め付けることにより、上記一方及び他方のフォームタイ１０、１１をそれぞれ上記一方及び他方の型枠２、３に取り付けることができるようになる。
【考案の概要】
【考案が解決しようとする課題】
【００１０】
上記型枠間隔保持具５のセパレーター７は、一方の型枠２と他方の型枠３との間に位置させる必要があるため、その取り付けが困難であるが、下部のセパレーター７においては、既設コンクリート１に埋め込まれたセパレーターを利用すれば、取り付けが容易である。また、上部のセパレーター７においては、型枠２、３の天端から手が届く範囲なので、取り付けができる。
【００１１】
しかしながら、中間部のセパレーター７においては、型枠の下からも天端からも手が届かず、特に、型枠内が狭い場合には、型枠内に人が入ることができないため、一方及び他方の型枠を立ち上げた後でのセパレーター７の取り付けは難しい。
【００１２】
そのため、片方の型枠のみをまず立ち上げて、そしてセパレーターを取り付けて、その後に、もう片方の型枠を立ち上げて、型枠間隔保持具を型枠に取り付ける必要があり、その取り付けに時間がかかるという欠点があった。
【００１３】
本考案は上記の欠点を除くようにしたものである。
【課題を解決するための手段】
【００１４】
本考案の型枠間隔保持具は、コンクリート壁を施工する一方の型枠と他方の型枠との間に位置される棒状のセパレーターと、このセパレーターの一端部に接続されると共に、上記一方の型枠に形成された貫通孔を上記一方の型枠の内側から塞ぐ一方のコーン部材と、上記一方の型枠の外側から、上記一方の型枠の貫通孔を貫通して上記一方のコーン部材に接続される一方のフォームタイ（登録商標）と、上記他方の型枠の外側から、上記他方の型枠に形成された貫通孔を貫通して、上記セパレーターの他端部に接続される他方のフォームタイとよりなり、上記一方のフォームタイは、棒状の一方のフォームタイバーと、この一方のフォームタイバーの遊端に接続される一方の型枠押さえ具とよりなり、上記他方のフォームタイは、棒状本体部と、この棒状本体部の基部に設けられた基端部と、上記棒状本体部の遊端に接続される他方の型枠押さえ具とよりなり、上記基端部は、上記セパレーターの他端部に接続されると共に、上記一方のコーン部材を貫通する大きさに形成された上記他方の型枠の貫通孔を、上記他方の型枠の外側から塞ぐことを特徴とする。
【００１５】
また、上記型枠間隔保持具用のフォームタイは、コンクリート壁を施工する一方の型枠と他方の型枠との間に位置される棒状のセパレーターの他端部に、上記他方の型枠の外側から、上記他方の型枠に形成された貫通孔を貫通して接続される他方のフォームタイよりなり、上記他方のフォームタイは、棒状本体部と、この棒状本体部の基部に設けられた基端部と、上記棒状本体部の遊端に接続される他方の型枠押さえ具とよりなり、上記基端部は、上記セパレーターの他端部に接続されると共に、上記セパレーターの一端部に接続される一方のコーン部材を貫通する大きさ形成された上記他方の型枠の貫通孔を、上記他方の型枠の外側から塞ぐことを特徴とする。
【００１６】
また、上記他方のフォームタイの棒状本体部と基端部とが着脱自在に接続され、上記棒状本体部が棒状の他方のフォームタイバーよりなると共に、上記基端部が他方のコーン部材よりなることを特徴とする。
【考案の効果】
【００１７】
本考案の型枠間隔保持具によれば、大組型枠の手が届きにくく施工が難しい中間部においても、型枠間隔保持具を容易に取り付けることができるという大きな利益がある。
【図面の簡単な説明】
【００１８】
【図１】本考案の型枠間隔保持具を一方及び他方の型枠に取り付けた状態を示す説明用縦断側面図である。
【図２】本考案の型枠間隔保持具の説明用分解斜視図である。
【図３】本考案の型枠間隔保持具の他方のフォームタイの要部の説明用側面図である。
【図４】本考案の型枠間隔保持具の他方のフォームタイの他の実施例の要部の説明用分解側面図である。
【図５】本考案の型枠間隔保持具を一方及び他方の型枠に取り付ける際の説明用縦断側面図である。
【図６】従来の型枠間隔保持具を一方及び他方の型枠に取り付けた状態を示す説明用側面図である。
【図７】従来の型枠間隔保持具の説明用分解斜視図である。
【考案を実施するための形態】
【００１９】
以下、図面によって本考案の実施例を説明する。
【００２０】
なお、図１〜図５において、図６及び図７に示すものと同一のものには同一の符号を示し、その説明は省略する。
【実施例１】
【００２１】
図１は、大組型枠の中間部に本考案の型枠間隔保持具２５を取り付けた説明用縦断側面図を示し、図２は、腹起こし材４を省略した型枠２、３に取り付けられる上記本考案の型枠間隔保持具２５の説明用分解斜視図を示し、図３は、上記本考案の型枠間隔保持具２５の要部の説明用拡大図を示す。この本考案の型枠間隔保持具２５においては、上記従来の型枠間隔保持具５を構成する部材のうち、他方のコーン部材９と他方のフォームタイ１１とを用いる代わりに、後述する特殊形状の他方のフォームタイ２６を用いる。
【００２２】
即ち、上記本考案の型枠間隔保持具２５は、図２に示すように、一方の型枠２と他方の型枠３との間に位置される棒状のセパレーター７と、このセパレーター７の一端部に接続される、例えばＰコンや鉄コンなどの円錐台形状の一方のコーン部材８と、この一方のコーン部材８に、上記一方の型枠２の外側から、この一方の型枠２に形成された貫通孔２３を貫通して接続される一方のフォームタイ１０と、上記セパレーター７の他端部に、上記他方の型枠３の外側から、上記他方の型枠３に形成された貫通孔２４を貫通して接続される後述する特殊形状の他方のフォームタイ２６により構成される。
【００２３】
また、上記他方の型枠３の貫通孔２４の大きさを、上記一方のコーン部材８の最大外径よりも大きく形成して、上記一方のコーン部材８が上記貫通孔２４を貫通できるようにする。
【００２４】
上記特殊形状の他方のフォームタイ２６は、図１〜図３に示すように、遊端部にネジ部２７が形成された棒状本体部２８と、この棒状本体部２８の基部に設けた基端部３０と、上記棒状本体部２８の遊端部のネジ部２７に接続される他方の型枠押さえ具３１とにより構成される。また、上記基端部３０は、上記セパレーター７の他端部のネジ部１２に螺合されるネジ孔部２９が形成されると共に、上記他方の型枠３の貫通孔２４を、上記他方の型枠３の外側から塞ぐ形状に形成されている。また、上記他方の型枠押さえ具３１は、上記棒状本体２８の遊端部のネジ部２７を貫通する孔を有する型枠押さえ金具３２と、上記遊端部のネジ部２７に螺合されるナット３３とによりなる。
【００２５】
なお、上記棒状本体部２８の基端部３０の外形形状は、例えば、図３に示すように、上記基端部３０の外形が他端部に向かって徐々に拡大していき、ある箇所から徐々に小さくなるような形状に形成されている。
【００２６】
そして、上記棒状本体部２８の基端部３０を、上記他方の型枠３の外側から、上記貫通孔２４に挿入して、上記セパレーター７の他端部のネジ部１２に上記基端部３０のネジ孔部２９を螺合すれば、上記棒状本体部２８が上記セパレーター７に接続されて固定されると共に、上記他方の型枠３の貫通孔２４が上記基端部３０により塞がれるようになる。
【００２７】
また、上記棒状本体部２８の遊端部のネジ部２７に、上記腹起こし材４及び上記型枠押さえ金具３２を介して上記ナット３３を螺合して締め付けることにより、上記他方のフォームタイ２６を上記他方の型枠３に取り付けることができるようになる。
【００２８】
なお、従来と同じ部材及びその接続方法に関しては、従来と同じため、その説明を省略する。
【００２９】
なお、上記他方のフォームタイ２６の棒状本体部２８と基端部３０とを、図４に示すように、着脱自在に接続できるようにし、例えば、上記棒状本体部２８として、基端部及び遊端部にそれぞれネジ部３４が形成された棒状の他方のフォームタイバー３５を用い、上記基端部３０として、円錐台形状の他方のコーン部材３６を用いるようにしてもよい。
【００３０】
即ち、上記他方のコーン部材３６の大径側端面３７に形成されたネジ孔部３８に上記他方のフォームタイバー３５の基端部のネジ部３４を螺合して、上記他方のフォームタイバー３５に上記コーン部材３６を接続して固定できるようにすると共に、上記コーン部材３６の小径側端面３９に形成されたネジ孔部４０に上記セパレーター７の他端部のネジ部１２を螺合して、上記コーン部材３６に上記セパレーター７の他端部を接続して固定できるようにしてもよい。
【００３１】
これにより、上記特殊形状の他方のフォームタイ２６を、別途特別に作成する必要がなく、従来からあるフォームタイバー及びコーン部材を用いて作成することができるようになる。
【００３２】
次に、図５により、一方及び他方の型枠２、３に本考案の型枠間隔保持具２５を取り付ける方法を説明する。
【００３３】
まず、一方の型枠２と他方の型枠３とを立ち上げて対峙させ、上記型枠の上部と下部に、それぞれ従来の型枠間隔保持具５を取り付けて、上記一方の型枠２と他方の型枠３との間隔が所望値になるように固定する。
【００３４】
次に、図５（ａ）に示すように、上記一方のフォームタイバー１９と、上記一方のコーン部材８と、上記セパレーター７と、基端部３０を有する棒状本体部２８とを組み立てて、上記他方の型枠３の外側に位置させる。
【００３５】
次に、図５（ｂ）〜（ｃ）に示すように、他方の型枠３の貫通孔２４に一方のフォームタイバー１９及び一方のコーン部材８を貫通させていき、図５（ｄ）に示すように、上記一方のコーン部材８の大径側端面１３を上記一方の型枠２の内側面に当接させて、一方の型枠２の貫通孔２３を内側から塞ぐと共に、上記基端部３０により、上記他方の型枠３の貫通孔２４を外側から塞ぐようにする。
【００３６】
次に、一方のフォームタイバー１９の遊端部１８のネジ部及び棒状本体部２８の遊端部のネジ部２７に、それぞれ腹起こし材４及び型枠押さえ金具２１、３２を介してそれぞれ上記ナット２２、３３を螺合して締め付けることにより、上記一方及び他方のフォームタイ１０、２６をそれぞれ上記一方及び他方の型枠２、３に取り付けることができるようになる。
【００３７】
本考案の型枠間隔保持具及びそのフォームタイによれば、一方及び他方の型枠２、３を立ち上げた後に型枠間隔保持具２５を取り付けることができるので、大型型枠の手が届きにくく施工が難しい中間部においても、型枠間隔保持具を容易に取り付けることができるという大きな利益がある。
【符号の説明】
【００３８】
１    コンクリート壁
２    一方の型枠
３    他方の型枠
４    腹起こし材
５    型枠間隔保持具
６    鉄筋
７    セパレーター
８    一方のコーン部材
９    他方のコーン部材
１０    一方のフォームタイ
１１    他方のフォームタイ
１２    ネジ部
１３    大径側端面
１４    小径側端面
１５    ネジ孔部
１６    ネジ孔部
１７    基端部
１８    遊端部
１９    フォームタイバー
２０    型枠押さえ具
２１    型枠押さえ金具
２２    ナット
２３    一方の貫通孔
２４    他方の貫通孔
２５    型枠間隔保持具
２６    他方のフォームタイ
２７    ネジ部
２８    棒状本体部
２９    ネジ孔部
３０    基端部
３１    型枠押さえ具
３２    型枠押さえ金具
３３    ナット
３４    ネジ部
３５    他方のフォームタイバー
３６    コーン部材
３７    大径側端面
３８    ネジ孔部
３９    小径側端面
４０    ネジ孔部
【図１】
0003174474.tif 000003
【図２】
0003174474.tif 000004
【図３】
0003174474.tif 000005
【図４】
0003174474.tif 000006
【図５】
0003174474.tif 000007
【図６】
0003174474.tif 000008
【図７】
0003174474.tif 000009
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
コンクリート壁を施工する一方の型枠と他方の型枠との間に位置される棒状のセパレーターと、
このセパレーターの一端部に接続されると共に、上記一方の型枠に形成された貫通孔を上記一方の型枠の内側から塞ぐ一方のコーン部材と、
上記一方の型枠の外側から、上記一方の型枠の貫通孔を貫通して上記一方のコーン部材に接続される一方のフォームタイ（登録商標）と、
上記他方の型枠の外側から、上記他方の型枠に形成された貫通孔を貫通して、上記セパレーターの他端部に接続される他方のフォームタイとよりなり、
上記一方のフォームタイは、棒状の一方のフォームタイバーと、この一方のフォームタイバーの遊端に接続される一方の型枠押さえ具とよりなり、
上記他方のフォームタイは、棒状本体部と、この棒状本体部の基部に設けられた基端部と、上記棒状本体部の遊端に接続される他方の型枠押さえ具とよりなり、
上記基端部は、上記セパレーターの他端部に接続されると共に、上記一方のコーン部材を貫通する大きさに形成された上記他方の型枠の貫通孔を、上記他方の型枠の外側から塞ぐことを特徴とする型枠間隔保持具。
【請求項２】
上記他方のフォームタイの棒状本体部と基端部とが着脱自在に設けられ、上記棒状本体部が棒状の他方のフォームタイバーよりなると共に、上記基端部が他方のコーン部材よりなることを特徴とする請求項１記載の型枠間隔保持具。
【請求項３】
コンクリート壁を施工する一方の型枠と他方の型枠との間に位置される棒状のセパレーターの他端部に、上記他方の型枠の外側から、上記他方の型枠に形成された貫通孔を貫通して接続される他方のフォームタイよりなり、
上記他方のフォームタイは、棒状本体部と、この棒状本体部の基部に設けられた基端部と、上記棒状本体部の遊端に接続される他方の型枠押さえ具とよりなり、
上記基端部は、上記セパレーターの他端部に接続されると共に、上記セパレーターの一端部に接続される一方のコーン部材を貫通する大きさに形成された上記他方の型枠の貫通孔を、上記他方の型枠の外側から塞ぐことを特徴とする型枠間隔保持具用のフォームタイ。
【請求項４】
上記他方のフォームタイの棒状本体部と基端部とが着脱自在に接続され、上記棒状本体部が棒状の他方のフォームタイバーよりなると共に、上記基端部が他方のコーン部材よりなることを特徴とする請求項３記載の型枠間隔保持具用のフォームタイ。
【手続補正２】
【補正対象書類名】明細書
【補正対象項目名】００１５
【補正方法】変更
【補正の内容】
【００１５】
また、上記型枠間隔保持具用のフォームタイは、コンクリート壁を施工する一方の型枠と他方の型枠との間に位置される棒状のセパレーターの他端部に、上記他方の型枠の外側から、上記他方の型枠に形成された貫通孔を貫通して接続される他方のフォームタイよりなり、上記他方のフォームタイは、棒状本体部と、この棒状本体部の基部に設けられた基端部と、上記棒状本体部の遊端に接続される他方の型枠押さえ具とよりなり、上記基端部は、上記セパレーターの他端部に接続されると共に、上記セパレーターの一端部に接続される一方のコーン部材を貫通する大きさに形成された上記他方の型枠の貫通孔を、上記他方の型枠の外側から塞ぐことを特徴とする。